(57)【要約】本発明は，ドアに取付ける指紋認識機構を有するドアロック取っ手に関する。本発明のドアロック取っ手は，指紋認識モジュールを備え，この指紋認識モジュールにより出入りする者の指紋を認識し，認識された指紋データをドアロック制御装置に供給する。本発明のドアロック取っ手は，指紋認識モジュールが装着される所定サイズの装着溝を有する取っ手本体と，取っ手本体に装着される指紋認識モジュールの指紋認識板が露出するように装着溝に対応する露出溝が穿孔されている取っ手カバーと，取っ手本体の一部に穿孔されているスイッチ孔と，スイッチ孔に装着され，出入りする者がドアロック取っ手を握ったことを感知するための導電体とを備え，導電体は，ドアロック制御装置に設けられるタッチスイッチ回路と電気的に接続され，タッチスイッチ回路は出入り者がドアロック取っ手を握ることを感知しドアロック制御装置に感知信号を供給する。
2004525288.tif 000002
【特許請求の範囲】
【請求項１】
指紋認識モジュールを備え，この指紋認識モジュールにより出入りする者の指紋を認識し，認識された指紋データをドアロック制御装置に供給するドアロック取っ手において，
前記指紋認識モジュールが装着される所定サイズの装着溝を有する取っ手本体と，
前記取っ手本体に装着される前記指紋認識モジュールの指紋認識板が露出するように前記装着溝に対応する露出溝が穿孔されている取っ手カバーと，
前記取っ手本体の一部に穿孔されているスイッチ孔と，
前記スイッチ孔に装着され，出入りする者が前記ドアロック取っ手を握ったことを感知するための導電体とを備え，
前記導電体は，前記ドアロック制御装置に設けられるタッチスイッチ回路と電気的に接続され，前記タッチスイッチ回路は出入り者が前記ドアロック取っ手を握ることを感知し前記ドアロック制御装置に感知信号を供給することを特徴とするドアロック取っ手。
【請求項２】
前記導電体を前記ドアロック取っ手本体と電気的に絶縁させるように前記取っ手本体と前記導電体間に装着される絶縁体をさらに含むことを特徴とする請求項１に記載のドアロック取っ手。
【請求項３】
前記取っ手本体の装着溝は，挿入される前記指紋認識モジュールがドアと直角に位置されるように形成されることを特徴とする請求項１に記載のドアロック取っ手。
【請求項４】
前記ドアロック制御装置は，前記タッチスイッチ回路から供給される感知信号に応じて前記指紋認識モジュールを駆動させることを特徴とする請求項１に記載のドアロック取っ手。
【発明の詳細な説明】
【技術分野】
【０００１】
本発明は，例えば一般住宅やマンションなどの住居用建物若しくはオフィス用建物に使われるドア，又は自動車や金庫などの各種ドアに装着されるドアロック取っ手にかかり，より詳しくは指紋認識モジュールが装着された指紋認識機能を有するドアロック取っ手に関する。
【背景技術】
【０００２】
一般に，指紋認識ドアロックにおいては，特定使用者の指紋情報が認証用指紋情報として予め記憶部（メモリ）に入力され記憶されている。そして，ドアを開こうとする実際の使用者が指を指紋認識モジュールが認識できる領域（エリア）に接触させると，指紋認識モジュールを通して人力された指紋情報がメモリに記憶された認証用指紋情報と一致する場合，ドアロックのロックが解除される。このような機能を利用して指紋認識モジュールは，各種ドアのロック装置に適用されている。
【発明の開示】
【発明が解決しようとする課題】
【０００３】
しかしながら，上述したような指紋認識モジュールは，例えば手動ドアの場合，ドアロックの取っ手とは別に構成されているので，ドアを開放するためにはまず指紋認識モジュールによって指紋を認証させ，特定使用者（関係者）であることが確認されてから，ドアロックの取っ手を回転させてドアを開かなければならなかった。
【０００４】
また，上述したような指紋認識モジュールを動作させるためには，まずスタートボタンを押すことによって，指紋認識モジュールに電源が供給されるようにし，その後に指紋認識モジュールに指を触れることによって，指紋を認識をしなければならないという煩わしさがあった。
【０００５】
そこで，本発明は，このような問題に鑑みてなされたもので，その目的とするところは，指紋認識モジュールをドアロック取っ手に設置し，使用者がドアロック取っ手の導電体をタッチする場合にだけ電源が供給され指紋認識モジュールが動作するようにすることにより，使い勝手のよい省電型のドアロック取っ手を提供することにある。
【課題を解決するための手段】
【０００６】
上記課題を解決するために，本発明のある観点によれば，指紋認識モジュールを備え，この指紋認識モジュールにより出入りする者の指紋を認識し，認識された指紋データをドアロック制御装置に供給するドアロック取っ手において，前記指紋認識モジュールが装着される所定サイズの装着溝を有する取っ手本体と，前記取っ手本体に装着される前記指紋認識モジュールの指紋認識板が露出するように前記装着溝に対応する露出溝が穿孔されている取っ手カバーと，前記取っ手本体の一部に穿孔されているスイッチ孔と，前記スイッチ孔に装着され，出入りする者が前記ドアロック取っ手を握ったことを感知するための導電体とを備え，前記導電体は，前記ドアロック制御装置に設けられるタッチスイッチ回路と電気的に接続され，前記タッチスイッチ回路は出入り者が前記ドアロック取っ手を握ることを感知し前記ドアロック制御装置に感知信号を供給することを特徴とするドアロック取っ手が提供される。
【０００７】
また，上記導電体を前記ドアロック取っ手本体と電気的に絶縁させるように前記取っ手本体と前記導電体間に装着される絶縁体をさらに含むことが好ましい。
【０００８】
また，上記取っ手本体の装着溝は，例えば挿入される前記指紋認識モジュールがドアと直角に位置されるように形成される。
【０００９】
また，上記ドアロック制御装置は，例えば前記タッチスイッチ回路から供給される感知信号に応じて前記指紋認識モジュールを駆動させる。
【発明の効果】
【００１０】
本発明によれば，ドアロック取っ手の一部に指紋認識モジュールが装着されるように構成し，例えば親指が自然に位置される所で指紋検出ができるようにしたことから，ドアの取っ手を握るだけで指紋認識が可能で，そのまま回転させてドアを開くような使い勝手のよいドアロック取っ手を提供することができる。特に，タッチスイッチを利用して，指紋認識が必要な瞬間だけ電源が供給／遮断されて指紋認識モジュールが動作されるように構成することができるので，省電の效果も卓越となる。また，保安が要求される場所や物品のドアに本発明を適用すれば，より容易にドアを開放するとともに徹底的に保安を維持することができる。
【発明を実施するための最良の形態】
【００１１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１２】
先ず，本発明の実施形態にかかるドアロック取っ手を図１〜図３を参照しながら説明する。図１ａ，図１ｂに示すように，取っ手１０は取っ手カバー１０ａと取っ手本体１０ｂから構成される。取っ手本体１０ｂはドアに設けられる支持部材４０と結合されており，使用者が取っ手を回すことにより上記ドアのロックが解除されるようになっている。
【００１３】
取っ手カバー１０ａは導電性材料で構成される。取っ手カバー１０ａの上面には，矩形の露出溝１１が形成されている。露出溝１１は，取っ手１０の一部に形成されているので，取っ手１０の上面を構成する曲面に沿ってカーブを描くように形成されている。取っ手本体１０ｂには指紋認識モジュール３０を装着可能な溝とタッチスイッチ（導電体２７，絶縁体２８）を装着可能な溝が形成されている。
【００１４】
取っ手本体１０ｂに形成される装着溝２１は，指紋認識モジュール３０が装着できるように所定サイズと深さで形成される。本発明にかかる指紋認識モジュール３０は装着溝２１に挿入され，取っ手カバー１０ａの露出溝１１まで挿入されると，ドアと指紋認識モジュール３０が互いに直角となるように構成されている。このような構成によれば，指紋認識モジュール３０上に設置された指紋認識板３１が自然に使用者に対向するようになる。これにより，使用者が取っ手１０を取る動作と指紋認識板３１に指を乗せる動作とが自然に連動する。
【００１５】
また，指紋認識モジュール３０を装着溝２１に挿入する際に上方に抜けることを防止するために，指紋認識モジュール３０に係止部３２を形成して，一定深さ以上挿入できないようにしている。
【００１６】
指紋認識モジュール３０の一端は支持部材４０と結合されている。指紋認識モジュール３０の電線は支持部材４０上に形成された電線溝４１を通すことにより，指紋認識モジュール３０の電線を屈折させずに支持部材４０を貫通させることができる。
【００１７】
取っ手本体１０ｂには，タッチスイッチ回路２９に接続する導電体２７の送信線２６が通過するように所定サイズの貫通溝２２が形成されている。取っ手１０の底面にはタッチスイッチの絶縁体２８が取っ手本体１０ｂの略中央に穿孔されたスイッチ孔２５をから突出するようにして結合される。使用者が取っ手を握って自然に導電体２７にタッチすると，信号を発生して指紋認識を行う。こうして，瞬間的に電源が供給／遮断される。
【００１８】
したがって，図２に示すように，指紋を検出させるために，認証登録された指紋がある指が指紋認識モジュール３０の指紋認識板（例えば透明板）３１上に乗せられ，取っ手１０の底面に形成された導電体２７が握られると，指紋認識モジュール３０に電源が供給される。これにより，指紋認識が実行される。なお，本実施形態では導電体２７が取っ手１０の底面に形成されているが，導電体２７を形成する位置は必ずしもこれに限られるものではなく，様々な位置に形成することができる。
【００１９】
ここで，本発明にかかる指紋認識機能を有するドアロック取っ手におけるドアロック制御装置のデータ処理を図３を参照しながら詳細に説明する。
【００２０】
図２に示すようにタッチスイッチの導電体２７に使用者（出入りする者）の手が接触すると，導電体２７はドアロック制御装置に設けられたタッチスイッチ回路２９の導電及び動作によって信号を発生する。発生した信号は図３に示すように制御部７０に入力される。すると，制御部７０は予め設定された手順に従って指紋認識モジュール３０を駆動する。例えば光学的指紋認識センサで構成された指紋認識モジュール３０は制御部７０の動作によって所定の電源が印加される。これにより，バックライト(図示せず)が所定の光線を発生する。
【００２１】
前記所定の光線が使用者の指表面の隆線部(ridge)と谷線部(valley)に当って反射した入射光線は，光電コンバータ(図示せず)により電気的なデータに変化される。これらのデータはまた制御部７０に送られる。制御部７０は入力されたデータをメモリ８０に保存されている許可者（特定使用者）の指紋データと比較（照合）して，一致するとドアを開放するようになっている。
【００２２】
電子的ロック機構９０は制御部７０から出力された制御信号に応じてドアロックのロックを解除するように駆動される。これにより使用者が取っ手１０を回すことができるようになる。また，電源供給部１００は本発明にかかる指紋認識機能を有するドアロック取っ手を動作させるための電源を供給するためのものである。
【００２３】
このような本実施形態にかかるドアロック取っ手においては，指紋が登録されている使用者がドアを開くために自然に取っ手１０を握って，使用者の指表面を指紋認識モジュール３０の指紋認識板３１に接触させるだけで，指紋認識モジュール３０によって使用者の指紋が自動的に認識されるので，取っ手を回してドアを開放することができるようになる。
【００２４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２５】
本発明は，本発明は一般住宅やマンションなどの住居用建物あるいはオフィス用建物に使われるドアまたは自動車や金庫などの各種ドアに装着されるドアロック取っ手に適用可能である。
【図面の簡単な説明】
【００２６】
【図１ａ】本発明の実施形態にかかるドアロック取っ手の分解された状態を示す斜視図である。
【図１ｂ】本実施形態にかかるドアロック取っ手の組立られた状態を示す斜視図である。
【図２】本実施形態にかかるドアロック取っ手が適用されたドアロック装置の一例を示す斜視図である。
【図３】本実施形態にかかるドアロック取っ手が適用されたドアロック装置の一例を説明するためのブロック図である。
【符号の説明】
【００２７】
１０      取っ手
１０ａ    手カバー
１０ｂ    手基部
１１      露出溝
２１      装着溝
２２      貫通溝
２５      スイッチ孔
２６      送信線
２７      導電体
２８      絶縁体
２９      タッチスイッチ回路
３０      指紋認識モジュール
３１      指紋認識板
３２      係止部
４０      支持部材
４１      電線溝
７０      制御部
８０      メモリ
９０      電子的ロック機構
１００      電源供給部
【図１ａ】
2004525288.tif 000003
【図１ｂ】
2004525288.tif 000004
【図２】
2004525288.tif 000005
【図３】
2004525288.tif 000006
【国際公開パンフレット】
2004525288.tif 000007
2004525288.tif 000008
2004525288.tif 000009
2004525288.tif 000010
2004525288.tif 000011
2004525288.tif 000012
2004525288.tif 000013
2004525288.tif 000014
2004525288.tif 000015
2004525288.tif 000016
2004525288.tif 000017
2004525288.tif 000018
2004525288.tif 000019
2004525288.tif 000020
【国際調査報告】
2004525288.tif 000021